(57)【特許請求の範囲】
【請求項１】
天板(1)が、昇降機構(2)を介して本体(3)に連結されているテーブルにおいて、昇降機構(2)が以下の全ての構成を有することを特徴とする天板を上下に移動できるテーブル。
（ａ）  昇降機構(2)は、天板(1)の下に垂直に固定されている支柱(4)と、この支柱(4)が上下に移動できるように連結される支持ガイド(5)と、支柱(4)を支持ガイド(5)の所定の位置に停止させるストッパ機構(6)とを備える。
（ｂ）  支持ガイド(5)は、本体(3)に垂直に固定されると共に、その内側に、上下に移動できるように支柱(4)を連結している。
（ｃ）  ストッパ機構(6)は、ピン(8)を介して中間を支柱(4)に連結している停止レバー(7)と、この停止レバー(7)を係止して停止させる係止ストッパ(13)と、停止レバー(7)に連結された弾性体(10)とを備える。
（ｄ）  停止レバー(7)は、支柱(4)の内側に垂直面内で回動できるように装着されると共に、下部には、上下に離されて複数の停止凹部(11)を有し、上部には停止レバー(7)を回動させる操作部(9)を有する。
（ｅ）  係止ストッパ(13)は、支持ガイド(5)に固定されており、停止レバー(7)の停止凹部(11)を案内して、停止凹部(11)を係止して停止レバー(7)の降下を停止する。
（ｆ）  弾性体(10)は、停止凹部(11)を係止ストッパ(13)に案内する方向に停止レバー(7)を付勢している。
（ｇ）  停止レバー(7)は、操作部(9)が操作されると、弾性体(10)が付勢する方向と反対方向に垂直面内で回動される。
（ｈ）  操作部(9)が操作されない状態において、停止レバー(7)は、弾性体(10)でもって、停止凹部(11)を係止ストッパ(13)に係止して、支柱(4)を支持ガイド(5)の所定の位置に停止するように構成されている。
（ｉ）  操作部(9)が操作されると、停止レバー(7)が回動されて、停止凹部(11)が係止ストッパ(13)から離れて、支柱(4)を支持ガイド(5)に沿って上下に移動できるように構成されている。
（ｊ）  支持ガイド(5)が、支柱(4)を上下に移動できる溝型で、この溝型の支持ガイド(5)の開口端縁を連結する状態で支持プレート(14)が固定されており、さらに、この支持プレート(14)に係止ストッパ(13)を固定して、係止ストッパ(13)を所定の位置に配設している。
【請求項２】
停止レバー(7)に設けられた複数の停止凹部(11)が、係止ストッパ(13)に当接して停止レバー(7)の降下を阻止する引掛部(11A)と、下方に向かって次第に外側に突出する傾斜面(11B)とを有し、傾斜面(11B)を係止ストッパ(13)に沿って摺動させて、操作部(9)を操作することなく停止レバー(7)を上昇させる請求項１に記載の天板を上下に移動できるテーブル。
【請求項３】
昇降機構(2)が、支持ガイド(5)から支柱(4)が抜けるのを阻止する抜止ストッパ(18)を備える請求項１に記載の天板を上下に移動できるテーブル。
【発明の詳細な説明】
【０００１】
【発明の属する技術分野】
本発明は、天板の高さを調整できるテーブルに関する。本明細書において、「テーブル」は、机、卓、キャビネット、台等であって、昇降できる天板を有する全てのものを含む広い意味に使用する。
【０００２】
【従来の技術】
天板の高さを調整できるテーブルは、すでに開発されている。この種のテーブルは、天板を用途に最適な高さにできるので、極めて便利に使用できる。この種のテーブルとして、たとえば、天板の下面にレバーを設け、このレバーを操作して天板を昇降できる種々の機構が開発されている。
【０００３】
【発明が解決しようとする課題】
レバーを操作して、手動で天板を昇降するテーブルは、昇降機構が複雑になって、製造コストが高くなる欠点があった。さらに、従来のテーブルは、天板に大きな荷重がかかったときに、天板を強固に支持するのが難しい欠点もあった。
【０００４】
本発明は、このような従来の欠点を解決することを目的に開発されたもので、本発明の重要な目的は、極めて簡単な昇降機構で、天板を確実に強固に支持して、しかも低コストに製造できる天板を上下に移動できるテーブルを提供することにある。
【０００５】
【課題を解決するための手段】
本発明のテーブルは、昇降機構２を介して、天板１を本体３に連結しているもので、以下の独特の昇降機構２を備えている。
（ａ）  昇降機構２は、支柱４と支持ガイド５とストッパ機構６とを備える。支柱４は、天板１を水平に支持するために、天板１の下に垂直に固定される。支持ガイド５は、支柱４が上下に移動できるように連結している。ストッパ機構６は、支柱４を支持ガイド５の所定の位置に停止させて、天板１を所定の高さに停止させる。
（ｂ）  支持ガイド５は、本体３に垂直に固定されると共に、その内側に、支柱４が上下に移動できるように連結している。
（ｃ）  ストッパ機構６は、ピン８を介して中間を支柱４に連結している停止レバー７と、この停止レバー７を係止して停止させる係止ストッパ１３と、停止レバー７に連結された弾性体１０とを備える。
（ｄ）  停止レバー７は、支柱４の内側に、垂直面内で回動できるように装着されると共に、下部には、上下に離されて複数の停止凹部１１を有し、上部には停止レバー７を回動せる操作部９を有する。
（ｅ）  係止ストッパ１３は、支持ガイド５に固定されており、停止レバー７の停止凹部１１を案内して停止レバー７を係止させる。
（ｆ）  弾性体１０は、停止凹部１１を係止ストッパ１３に案内する方向に停止レバー７を付勢している。
（ｇ）  停止レバー７は、操作部９が操作されると、弾性体１０が付勢する方向と反対方向に垂直面内で回動される。
（ｈ）  操作部９が操作されない状態において、停止レバー７は、弾性体１０でもって、停止凹部１１を係止ストッパ１３に係止して、支柱４を支持ガイド５の所定の位置に停止するように構成されている。
（ｊ）  操作部９が操作されると、停止レバー７が回動されて、停止凹部１１が係止ストッパ１３から離れて、支柱４が支持ガイド５に沿って上下に移動できるように構成されている。
【０００６】
さらに、本発明のテーブルは、好ましくは、停止レバー７の下部に設けた複数の停止凹部１１が引掛部１１Ａと傾斜面１１Ｂとを有する。引掛部１１Ａは、係止ストッパ１３に当接して、停止レバー７が降下するのを阻止する。傾斜面１１Ｂは、下方に向かって次第に外側に突出するように形成されており、係止ストッパ１３に沿って摺動されて停止レバー７を上昇させる。このテーブルは、係止ストッパ１３の下面が停止凹部１１で係止されないので、操作部９を操作することなく天板１を引き上げることができる。
【０００７】
さらに、本発明のテーブルは、支持ガイド５を、支柱４を上下に移動できる溝型として、この溝型の支持ガイド５の開口端縁を連結する状態で支持プレート１４を固定し、さらに、この支持プレート１４に係止ストッパ１３を固定して、係止ストッパ１３を所定の位置に配設している。このテーブルは、係止ストッパ１３を、簡単な構造で、しかも確実に所定の位置に配設できる特長がある。さらに、このテーブルは、支持ガイド５の開口端縁が支持プレート１４で連結されるので、支持ガイド５の強度を高くできると共に、上下に移動する支柱４が支持ガイド５から外れ出るのを支持プレート１４で有効に阻止できる特長もある。
【０００８】
さらに、本発明のテーブルは、好ましくは、昇降機構２が、支持ガイド５から支柱４が抜けるのを阻止する抜止ストッパ１８を備える。この構造のテーブルは、支柱４を上昇させ過ぎたときに、支柱４が支持ガイド５から抜け出るのを確実に阻止できる。
【０００９】
【発明の実施の形態】
以下、本発明の実施例を図面に基づいて説明する。ただし、以下に示す実施例は、本発明の技術思想を具体化するための天板を上下に移動できるテーブルを例示するものであって、本発明はテーブルを下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１と図２に示すテーブルは、天板１と、この天板１を、昇降機構２でもって昇降できるように連結している本体３とを備える。図に示すテーブルは、天板１の両端部に昇降機構２を設けて、２組の昇降機構２で、天板１を水平に保持している。ただ、図示しないが、小さい天板のテーブルは１組の昇降機構で、天板を本体に連結することもできる。また、頑丈な昇降機構も１組で天板を本体に連結することができる。したがって、本発明のテーブルは、必ずしも２組の昇降機構で天板を本体に連結したものに特定しない。昇降機構は、１組、または、３組以上のものを使用して、天板を本体に連結することもできる。ただ、天板１の両側に設けた２組の昇降機構２は、両手で一緒に操作して、天板１を簡単に昇降でき、また、重い天板１を頑丈な状態で支持できる特長がある。
【００１２】
昇降機構２は、天板１の両端の下面に垂直に固定される支柱４と、この支柱４を昇降できるように連結して、本体３に固定される支持ガイド５と、支柱４を支持ガイド５の決められた位置に停止させるストッパ機構６とを備える。
【００１３】
支柱４は、横断面形状をＣ字状とする鉄製の型鋼で、上端に固定片１５をＴ字状に固定している。固定片１５が、天板１の下面にネジ止されて、支柱４が天板１に垂直に固定されている。この形状の支柱４は、軽くて強靭な特長がある。ただ、支柱は、金属製の平板とすることもできる。
【００１４】
支持ガイド５は、その内側に支柱４を配設して、支柱４を上下に移動できるように連結する。支持ガイド５は、図３の水平断面図に示すように、支柱４を摺動自在に配設する溝型で、本体３の側板３Ａに固定する固定プレート１６を設けている。図に示す支持ガイド５は、金属板をプレス加工して製造したもので、上部と下部に固定プレート１６を設けている。
【００１５】
本体３は、支持ガイド５を固定するために、図１ないし図３に示すように、側板３Ａの内面に垂直な方向に固定溝１７を設けている。この固定溝１７に支持ガイド５をはめ込んで、固定プレート１６が側板３Ａにネジ止等の方法で固定される。この構造のテーブルは、本体３の側板３Ａから、支持ガイド５が突出しないように固定できる特長がある。ただ、支持ガイドは、固定溝のない本体の側板内面に固定することもできる。
【００１６】
ストッパ機構６は、ピン８を介して中間を支柱４に連結している停止レバー７と、この停止レバー７を係止して停止させる係止ストッパ１３と、停止レバー７に連結された弾性体１０とを備える。
【００１７】
停止レバー７は、厚い金属板を所定の形状に加工したもので、図２に示すように、支柱４の内側に、垂直面内で回動できるようにピン８を介して連結している。さらに、停止レバー７は、図２と図４に示すように、支柱４を所定の位置で停止させるために、その下部に、上下に離して複数の停止凹部１１を設けている。さらにまた、停止レバー７は、上端部に、停止レバー７を回動させる操作部９を設けている。
【００１８】
停止レバー７を支柱４に連結するピン８は、図３の断面図に示すように、支柱４の内側に突出させる形状にプレス加工した、山型凸部１９の先端部に固定される。ピン８は、山型凸部１９を貫通して山型凸部１９から突出して固定される。図のピン８は、山型凸部１９の下面にできる凹部に鍔８Ａを配設し、停止レバー７を貫通する先端には、Ｅリング２０等を連結して、停止レバー７を抜けないように連結している。この構造で、支柱４に停止レバー７を連結するピン８は、鍔８Ａを凹部に配設するので、支柱４の表面から突出しない。このため、支柱４を支持ガイド５の内側でスムーズに移動できる。さらに、山型凸部１９の先端に配設される停止レバー７は、支柱４の内面から多少離されて、よりスムーズに回動できる。
【００１９】
複数の停止凹部１１は、停止レバー７の下部に一定の間隔で設けている。これ等の停止凹部１１は、停止レバー７の側縁を、停止レバー７の回動方向に切削して設けている。停止凹部１１は、図４に示すように、係止ストッパ１３に案内された状態で、停止レバー７を所定の位置に係止して停止レバー７が降下するのを阻止する。したがって、図に示す停止凹部１１は、係止ストッパ１３を係止できるように、上部に引掛部１１Ａを形成している。引掛部１１Ａは、凹部の底の部分から上側の開口縁に向かって延長されており、係止ストッパ１３の上面に当接して停止レバー７を係止できる形状としている。
【００２０】
さらに、停止凹部１１は、下方に向かって次第に外側に突出する傾斜面１１Ｂを有する。図に示す傾斜面１１Ｂは、凹部の底の部分から下側に位置する停止凹部１１の開口端縁に向かって設けられている。このように、停止凹部１１の下部に傾斜面１１Ｂを有する停止レバー７は、係止ストッパ１３の下面が停止凹部１１で係止されないので、操作部９で停止レバー７を回動させることなく、係止ストッパ１３に沿って傾斜面１１Ｂを摺動させて、停止レバー７を上方にスライドさせることができる。したがって、天板を引き上げるときに、操作部９を操作して停止レバー７を回動させる必要がない。
【００２１】
ただ、停止凹部は、かならずしも、傾斜面を設ける必要はない。図５に示すように、下部にも引掛部１１Ａを設けて、隣接する停止凹部１１の間の端面を垂直面１２とすることもできる。この形状の停止凹部１１は、係止ストッパ１３の上面だけでなく下面も引掛部１１Ａで係止できるので、停止凹部１１が係止ストッパ１３に案内された状態で停止レバー７が上下に移動するのを確実に阻止できる。この停止レバー７は、操作部で回動されると係止状態が解除されて上下に移動される。
【００２２】
さらに、図４と図５に示す停止凹部１１は、底部を湾曲させているが、停止凹部は、図６と図７に示す形状とすることもできる。図６に示す停止凹部１１は、直線上に形成された引掛部１１Ａと傾斜面１１Ｂとで構成している。この形状の停止凹部１１は、極めて簡単に加工できる。さらに、図７に示す停止凹部１１は、底部を垂直面とすると共に、傾斜面１１Ｂの下端と、下に位置する停止凹部１１の開口縁との間にも垂直面１２を設けている。この形状の停止凹部１１は、引掛部１１Ａの強度を強くして、この部分が破損したり変形するのを有効に防止できる。
【００２３】
操作部９は、停止レバー７の上端部に設けられており、これを操作して停止レバー７を回動させる。図４に示す操作部９は、停止レバー７の上端部を折曲加工して設けている。この操作部９は、Ｌ字状に裁断された停止レバー７の上端部を、水平な姿勢となるように、支柱４の開口部側に折曲して設けている。この形状の操作部９は、横断面形状がＣ字状の支柱４の内部から、簡単に外部に引き出しできる特長がある。さらに、停止レバー７の上端部を折曲加工して設けられる操作部９は、停止レバー７を直接に駆動して回動できる特長がある。
【００２４】
さらに、図に示す操作部９は、先端に操作レバー９Ａを連結している。操作レバー９Ａは、たとえば、プラスチックを所定の形状に成形したもので、水平方向に延長して連結されている。操作レバー９Ａは、好ましくは、水平な板状として便利に操作できる。先端に操作レバー９Ａを有する操作部９は、操作時に手に加わる衝撃をやわらげて、しかも、操作を簡単にできる特長がある。
【００２５】
図に示す停止レバー７は、上端部の操作部９を天板１の下方に配設している。操作部９を天板１の下方に接近して配設しているテーブルは、天板１を持ちながら操作部９を操作できる特長がある。このテーブルは、天板１を持つ手で操作部９を引き上げて、ストッパ機構６のロック状態を解除しながら、簡単に天板１を上下に移動できる。
【００２６】
さらに、図１に示すように、両側に２組の昇降機構２を設けているテーブルは、各々の支柱４に設けられる停止レバー７を、この図において左右対称な形状としている。両側に配設される２組の停止レバー７が互いに対称な形状であるテーブルは、折曲加工された操作部９を支柱４から同じ方向に引き出しできるので、天板１を上下移動させるときに、各々の操作部９を両手でつかんで便利に操作できる。この停止レバー７は、操作部９を折曲加工するときに、上端部を折曲する方向を逆にすることによって、互いに対称な形状の停止レバー７を簡単に製造できる。
【００２７】
係止ストッパ１３は、支持ガイド５に固定されており、上下移動する停止レバー７を係止して所定の位置に停止させる。したがって、係止ストッパ１３は、天板１と支柱４の荷重が加わる停止レバー７を支持できる十分な強度を有する。図４に示す係止ストッパ１３は、支持プレート１４を介して支持ガイド５に固定されている。図に示す係止ストッパ１３は、円柱状の凸部で、支持プレート１４の内面に、支柱４の内面に向かって突出する状態で固定されている。ただ、係止ストッパ１３は、図７に示すように、角柱状の凸部とすることも、図６に示すように、停止凹部１１を係止できる突出プレートとすることもできる。支持プレート１４は、金属板で、溝型の支持ガイド５の開口端縁を連結する状態で支持ガイド５に固定している。支持プレート１４は、係止ストッパ１３を所定の位置に配設すると共に、溝型の支持ガイド５から支柱４が外に出るのを阻止している。
【００２８】
弾性体１０は、操作部９を操作しないときに、停止レバー７の停止凹部１１を支持ガイド５の係止ストッパ１３に向かって押圧する方向に付勢している。図４の弾性体１０は、停止レバー７の下部を図において左方向に押圧する押しバネである。押バネである弾性体１０は、一端を停止レバー７に連結して、他端を支柱４の内面に連結している。弾性体は、図示しないが、押しバネに代わって板バネやゴム状弾性体も使用できる。さらに、弾性体は、停止レバーの上部を図において右に引っ張るコイルスプリングも使用できる。弾性体は、停止レバーを回動させて、停止凹部を支持ガイドの係止ストッパに弾性的に押圧するすべてのものが使用できる。
【００２９】
弾性体１０で所定の方向に付勢される停止レバー７は、図４で示すように、停止凹部１１が係止ストッパ１３に案内されて係止状態に保持される。操作部９の操作レバー９Ａを矢印Ａで示す方向に引き上げると、停止レバー７がピン８を中心として、弾性体１０が付勢する方向と反対の方向（図において反時計回り）に回動して、停止レバー７の下部を矢印Ｂで示す方向に回動させる。この状態で、停止凹部１１は、係止ストッパ１３から離れて停止レバー７の係止状態が解除される。停止レバー７の係止状態が解除されると、支柱４を自由に上下に移動できる状態となって、天板１の高さが調整される。
【００３０】
さらに、図４に示すテーブルは、昇降機構２が、支持ガイド５から支柱４が抜けるのを阻止する抜止ストッパ１８を備える。図に示す抜止ストッパ１８は、支柱４の下端に設けられた突出部２１と支持プレート１４とで構成される。図に示す支柱４は、下端の表面に２本の止ネジがねじ込まれており、これ等のネジのネジ頭を表面側に突出させて突出部２１としている。ネジ頭を突出部２１とする構造は、極めて簡単に抜止ストッパ１８を設けることができる。抜止ストッパ１８を有するテーブルは、支柱４を上昇させ過ぎたときに、突出部２１が支持プレート１４の下面に当接して、支柱４が支持ガイド５から抜けるのが阻止される。
【００３１】
以上の構造のテーブルは、以下のようにして、天板を最も便利な高さに調整する。
(1)  操作部９の操作レバー９Ａを引き上げないとき、停止レバー７は弾性体１０に押圧されて、停止凹部１１を支持ガイド５の係止ストッパ１３に係止している。この状態にあっては、停止レバー７が支柱４の降下を阻止する。したがって、天板１は降下しないように、本体３に連結される。
【００３２】
(2)  天板１の両側に配設されている操作部９の操作レバー９Ａを引き上げると、停止レバー７がピン８を中心として回動する。停止レバー７が回動されると、その下部に設けられた停止凹部１１が、支持ガイド５の係止ストッパ１３から外れる。この状態になると、停止レバー７が天板１の支柱４を停止しなくなるので、天板１を自由な位置まで昇降できる。天板１を所定の高さに調整した後、操作部９の操作レバー９Ａを離すと、弾性体１０が停止レバー７を回動させて、停止凹部１１を支持ガイド５の係止ストッパ１３に係止させる。このため、天板１は調整された高さに停止される。
【００３３】
ただ、停止レバー７の停止凹部１１に傾斜面１１Ｂを設けたテーブルは、操作部９を操作することなく天板１を上昇させることもできる。停止レバー７の傾斜面１１Ｂを係止ストッパ１３に沿って摺動させながら、支柱４を上昇できるからである。このテーブルは、天板１を降下させるときに、（2)で述べたように操作部９を操作して所望の高さで停止させる。
【００３４】
【発明の効果】
本発明の天板を上下に移動できるテーブルは、極めて簡単な昇降機構で、天板を最も便利に使用できる高さに停止できる特長がある。それは、本発明のテーブルが、弾性体で付勢される停止レバーの停止凹部を係止ストッパに係止させて支柱を支持ガイドの所定の位置に停止しており、操作部で停止レバーを回動させて、停止レバーの係止状態を解除して、支柱を支持ガイドに沿って上下に移動させて天板の高さを調整しているからである。さらに、本発明のテーブルは、所定の高さに停止された天板を、確実にしかも強固に支持できる特長がある。さらに、昇降機構の部品点数を少なくできると共に、各パーツの形状を簡単にできるので、安価に多量生産できる特長もある。
【図面の簡単な説明】
【図１】  本発明の実施例の天板を上下に移動できるテーブルの一部断面正面図
【図２】  図１に示すテーブルを内側から見た一部拡大断面図
【図３】  図２に示すテーブルの支柱と支持ガイドの連結構造を示す一部拡大水平断面図
【図４】  図２に示すテーブルのストッパ機構を示す拡大斜視図の斜視図
【図５】  停止レバーと係止ストッパの他の一例を示す正面図
【図６】  停止レバーと係止ストッパの他の一例を示す正面図
【図７】  停止レバーと係止ストッパの他の一例を示す正面図
【符号の説明】
１…天板
２…昇降機構
３…本体                ３Ａ…側板
４…支柱
５…支持ガイド
６…ストッパ機構
７…停止レバー
８…ピン                ８Ａ…鍔
９…操作部              ９Ａ…操作レバー
１０…弾性体
１１…停止凹部          １１Ａ…引掛部            １１Ｂ…傾斜面
１２…垂直面
１３…係止ストッパ
１４…支持プレート
１５…固定片
１６…固定プレート
１７…固定溝
１８…抜止ストッパ
１９…山型凸部
２０…Ｅリング
２１…突出部
【図１】
0004491583.tif 000002
【図２】
0004491583.tif 000003
【図３】
0004491583.tif 000004
【図４】
0004491583.tif 000005
【図５】
0004491583.tif 000006
【図６】
0004491583.tif 000007
【図７】
0004491583.tif 000008